(57)【要約】【課題】濾過部の寿命を長期化することのできる電解水生成装置を提供する。【解決手段】水を濾過部にて濾過後、電解槽４０で電気分解して電解水を生成する電解水生成装置であって、濾過部への通水を避けるためのバイパス水路６１と、使用モードに応じて濾過部側またはバイパス水路６１側に水路を切り替える切替弁７１とを備える。【選択図】図１
2012101173.tif 000002
【特許請求の範囲】
【請求項１】
水を濾過部にて濾過後、電解槽で電気分解して電解水を生成する電解水生成装置であって、
前記濾過部への通水を避けるためのバイパス水路と、
使用モードに応じて前記濾過部側または前記バイパス水路側に水路を切り替える切替弁と、
を備えたことを特徴とする電解水生成装置。
【請求項２】
水を電解槽で電気分解して電解水を生成する電解水生成装置であって、
前記電解槽への通水を避けるためのバイパス水路と、
使用モードに応じて前記電解槽側または前記バイパス水路側に水路を切り替える切替弁と、
を備えたことを特徴とする電解水生成装置。
【請求項３】
前記バイパス水路と吐水口の連結部から前記電解槽側への逆流を防止する逆流防止弁を備えたことを特徴とする請求項１または２に記載の電解水生成装置。
【請求項４】
前記使用モードを選択する選択部と、前記選択部により選択された使用モードに基づき前記切替弁を切り替える制御部とを備えたことを特徴とする請求項１から３のいずれか一項に記載の電解水生成装置。
【請求項５】
使用時における流量を検出する流量検出部と、前記流量検出部により検出された流量に基づき濾材の交換時期を判断する交換時期判断部と、前記交換時期判断部の判断結果に対応して交換時期を表示する交換時期表示部とを備えたことを特徴とする請求項１から４のいずれか一項に記載の電解水生成装置。
【請求項６】
初期通水時において前記流量検出部により検出された流量を記憶する初期値記憶部を備え、
前記交換時期判断部は、前記初期値記憶部に記憶された流量と前記流量検出部により検出された流量とを比較して交換時期を判断することを特徴とする請求項５に記載の電解水生成装置。
【発明の詳細な説明】
【技術分野】
【０００１】
本発明は、原水を電解槽で電気分解して電解水を生成する電解水生成装置に関する。
【背景技術】
【０００２】
近年の安全な水や健康に対する関心の高まりに伴って、水道水等の原水を電解槽内で電気分解することでアルカリイオン水と酸性イオン水を生成する電解水生成装置が一般家庭にも広く普及するに至っている。例えば、特許文献１に開示される電解水生成装置では、電解槽の流入側にプレフィルタと逆浸透膜を設け、これらを経由させることで水道水から純水を得る。その純水に食塩を添加して導電率をＵＰさせた後、電気分解してアルカリイオン水と酸性イオン水を得る。これにより、電解性能低下の要因となる有機物やコロイド粒子を除去したうえで電解水を生成することが可能である。
【先行技術文献】
【特許文献】
【０００３】
【特許文献１】特開平７−２８４７７２号公報
【発明の概要】
【発明が解決しようとする課題】
【０００４】
しかしながら、特許文献１に開示される電解水生成装置では、飲用に使用しないモード等においても水が全水路を通過するため、濾過部の寿命が短期化される問題があった。
【０００５】
本発明は上記課題を解決するためになされたものであり、その目的は、濾過部の寿命を長期化することのできる電解水生成装置を提供することである。
【課題を解決するための手段】
【０００６】
上記課題を解決するために、第１の発明は、水を濾過部にて濾過後、電解槽で電気分解して電解水を生成する電解水生成装置であって、前記濾過部への通水を避けるためのバイパス水路と、使用モードに応じて前記濾過部側または前記バイパス水路側に水路を切り替える切替弁とを備えたことを特徴とする。
【０００７】
上記課題を解決するために、第２の発明は、水を電解槽で電気分解して電解水を生成する電解水生成装置であって、前記電解槽への通水を避けるためのバイパス水路と、使用モードに応じて前記電解槽側または前記バイパス水路側に水路を切り替える切替弁とを備えたことを特徴とする。
【０００８】
また、第３の発明は、前記バイパス水路と吐水口の連結部から前記電解槽側への逆流を防止する逆流防止弁を備えたことを特徴とする。
【０００９】
また、第４の発明は、前記使用モードを選択する選択部と、前記選択部により選択された使用モードに基づき前記切替弁を切り替える制御部とを備えたことを特徴とする。
【００１０】
また、第５の発明は、使用時における流量を検出する流量検出部と、前記流量検出部により検出された流量に基づき濾材の交換時期を判断する交換時期判断部と、前記交換時期判断部の判断結果に対応して交換時期を表示する交換時期表示部とを備えたことを特徴とする。
【００１１】
また、第６の発明は、初期通水時において前記流量検出部により検出された流量を記憶する初期値記憶部を備え、前記交換時期判断部が、前記初期値記憶部に記憶された流量と前記流量検出部により検出された流量とを比較して交換時期を判断することを特徴とする。
【発明の効果】
【００１２】
本発明によれば、使用モードに応じて濾過部への通水を避けることができるので、濾過部の寿命を長期化することのできる電解水生成装置を提供することが可能である。
【図面の簡単な説明】
【００１３】
【図１】第１実施形態における電解水生成装置の構成図であって、（ａ）は手洗いモードの場合を示す図、（ｂ）は電解水モードの場合を示す図である。
【図２】第１実施形態における電解水生成装置の構成図であって、（ａ）は浄水モードの場合を示す図、（ｂ）は電解水モードの場合を示す図である。
【図３】第１実施形態における電解水生成装置の構成図であって、（ａ）は軟水モードの場合を示す図、（ｂ）は電解水モードの場合を示す図である。
【図４】第１実施形態における切替弁設置場所と切替モードとの対応を示す図である。
【図５】第２実施形態における電解水生成装置の構成図である。
【図６】第２実施形態における逆流防止弁を説明するための図であって、（ａ）は順方向通水時を示す図、（ｂ）は逆方向通水時を示す図である。
【図７】第３実施形態における電解水生成装置の構成図である。
【図８】第３実施形態における電解水生成装置の構成図である。
【図９】第３実施形態における電解水生成装置の構成図である。
【図１０】第３実施形態における電解水生成装置の構成図である。
【図１１】第３実施形態における制御部の制御内容を説明するための図である。
【図１２】第４実施形態における電解水生成装置の構成図である。
【図１３】第４実施形態における電解水生成装置の構成図である。
【図１４】第４実施形態における電解水生成装置の構成図である。
【図１５】第４実施形態における交換時期判断手順を示すフローチャートである。
【図１６】第４実施形態において交換時期判断できる濾材を示す図である。
【図１７】第４実施形態における交換時期判断手順を示すフローチャートである。
【図１８】第４実施形態における交換時期判断手順を示すフローチャートである。
【図１９】第５実施形態における電解水生成装置の構成図である。
【図２０】第５実施形態における交換時期判断手順を示すフローチャートである。
【発明を実施するための形態】
【００１４】
以下、本発明の実施形態について図面を参照して詳細に説明する。
【００１５】
（第１実施形態）
図１、図２、図３は、第１実施形態における電解水生成装置の構成図である。この電解水生成装置は、水を電解槽で電気分解して電解水を生成する装置であって、プレフィルタ２０と膜濾過カートリッジ３０（以下、一括して「濾過部」という。）を電解槽４０の流入側に備えている。プレフィルタ２０は、活性炭や中空糸膜等で構成されている。膜濾過カートリッジ３０は、逆浸透膜またはナノ濾過膜を内部に備えている。電解槽４０は、陰極４１を備えた陰極室と陽極４２を備えた陽極室とに隔膜４３で２分されている。陰極室にはアルカリイオン水が、陽極室には酸性イオン水がそれぞれ電解水として生成される。ここで、本電解水生成装置は、電解槽４０や濾過部への通水を避けるためのバイパス水路６１を備え、使用モードに応じて切替弁で水路を切り替えるようになっている。切替弁の設置場所は、図４に示すように、（１）原水導入口１０とプレフィルタ２０の間、（２）プレフィルタ２０と膜濾過カートリッジ３０の間、（３）膜濾過カートリッジ３０と電解槽４０の間のうちの少なくとも１つであればよい。吐水口５０とバイパス水路６１の連結部分にも切替弁７４を設置しておく。
【００１６】
まず、図１を用いて、（１）原水導入口１０とプレフィルタ２０の間に切替弁７１を設置した場合について説明する。この場合、使用モードが手洗いモードのときは、図１（ａ）に示すように、切替弁７１をバイパス水路６１側に切り替える。これにより、原水導入口１０から導入した原水を吐水口５０から得ることができる。図中に縞模様で示す水路は通水がないことを意味している（以下、同様）。一方、使用モードが電解水モードのときは、図１（ｂ）に示すように、切替弁７１をプレフィルタ２０側に切り替える。これにより、原水導入口１０から導入した原水をプレフィルタ２０と膜濾過カートリッジ３０で濾過し、電解槽４０で電気分解して吐水口５０から電解水を得ることができる。
【００１７】
次に、図２を用いて、（２）プレフィルタ２０と膜濾過カートリッジ３０の間に切替弁７２を設置した場合について説明する。この場合、使用モードが浄水モードのときは、図２（ａ）に示すように、切替弁７２をバイパス水路６１側に切り替える。これにより、原水導入口１０から導入した原水をプレフィルタ２０で濾過し、吐水口５０から浄水を得ることができる。一方、使用モードが電解水モードのときは、図２（ｂ）に示すように、切替弁７２を膜濾過カートリッジ３０側に切り替える。これにより、原水導入口１０から導入した原水をプレフィルタ２０と膜濾過カートリッジ３０で濾過し、電解槽４０で電気分解して吐水口５０から電解水を得ることができる。
【００１８】
次に、図３を用いて、（３）膜濾過カートリッジ３０と電解槽４０の間に切替弁７３を設置した場合について説明する。この場合、使用モードが軟水モードのときは、図３（ａ）に示すように、切替弁７３をバイパス水路６１側に切り替える。これにより、原水導入口１０から導入した原水をプレフィルタ２０と膜濾過カートリッジ３０で濾過し、吐水口５０から軟水を得ることができる。一方、使用モードが電解水モードのときは、図３（ｂ）に示すように、切替弁７３を電解槽４０側に切り替える。これにより、原水導入口１０から導入した原水をプレフィルタ２０と膜濾過カートリッジ３０で濾過し、電解槽４０で電気分解して吐水口５０から電解水を得ることができる。
【００１９】
以上のように、第１実施形態における電解水生成装置によれば、使用モードに応じて濾過部への通水を避けることができるので、濾過部の寿命を長期化することができる。また、使用モードに応じて電解槽４０への通水を避けることができるので、電解槽４０の寿命も長期化することができる。
【００２０】
（第２実施形態）
図５は、第２実施形態における電解水生成装置の構成図である。この電解水生成装置は、バイパス水路６１と吐水口５０の連結部から電解槽４０側への逆流を防止する逆流防止弁７５を備えている。その他の点は第１実施形態と同様である。
【００２１】
逆流防止弁７５としては、例えばバネ式のものを採用することができる。順方向通水時は、図６（ａ）に示すように、バネ７６が縮むことで水路が開き通水する。一方、逆方向通水時は、図６（ｂ）に示すように、水圧で水路が閉鎖され、水が流れない。これにより、手洗いモード等の場合においてバイパス水路６１を経由している水が電解槽４０側へ流出することを防止することができ、吐水口５０とバイパス水路６１の連結部分に切替弁７４を設けなくて済む。
【００２２】
以上のように、第２実施形態における電解水生成装置によれば、バイパス水路６１と吐水口５０の連結部から電解槽４０側への逆流を防止する逆流防止弁７５を備えているので、吐水口５０とバイパス水路６１の連結部分に切替弁７４を設けなくて済み、切替操作も不要となる。
【００２３】
（第３実施形態）
図７、図８、図９、図１０は、第３実施形態における電解水生成装置の構成図である。この電解水生成装置は、使用モードを選択する選択部８１と、選択部８１により選択された使用モードに基づき切替弁を切り替える制御部８２とを備えている。その他の点は第１実施形態と同様である。
【００２４】
選択部８１は、使用モードを選択するためのボタン群や表示部等である。図７では「手洗いモード」が、図８では「浄水モード」が、図９では「軟水モード」が、図１０では「電解水モード」がそれぞれ選択されている。制御部８２は、ＣＰＵとプログラムＲＯＭと作業用ＲＡＭと入出力インタフェースとを備えたマイクロプロセッサ等である。制御部８２の主要な制御は、ＣＰＵがプログラムＲＯＭに格納されたプログラムを実行することにより実現される。
【００２５】
図１１は、制御部８２の制御内容を説明するための図である。この図に示すように、制御部８２は、「手洗いモード」が選択された場合、切替弁７１をバイパス水路６１側に、切替弁７２を膜濾過カートリッジ３０側に、切替弁７３を電解槽４０側に、切替弁７４をバイパス水路６１側に切り替える。また、「浄水モード」が選択された場合、切替弁７１をプレフィルタ２０側に、切替弁７２をバイパス水路６１側に、切替弁７３を電解槽４０側に、切替弁７４をバイパス水路６１側に切り替える。また、「軟水モード」が選択された場合、切替弁７１をプレフィルタ２０側に、切替弁７２を膜濾過カートリッジ３０側に、切替弁７３をバイパス水路６１側に、切替弁７４をバイパス水路６１側に切り替える。また、「電解水モード」が選択された場合、切替弁７１をプレフィルタ２０側に、切替弁７２を膜濾過カートリッジ３０側に、切替弁７３を電解槽４０側に、切替弁７４を電解槽４０側に切り替える。
【００２６】
このように、水の流れない箇所に設置されている切替弁については、バイパス水路６１ではない向きに切り替えるようにしているので水の逆流を防止することができる。例えば、「手洗いモード」では、切替弁７２及び７３が設置されている箇所は水が流れないが、切替弁７２は膜濾過カートリッジ３０側に、切替弁７３は電解槽４０側に切り替えるようになっている。
【００２７】
以上のように、第３実施形態における電解水生成装置によれば、選択部８１により選択された使用モードに基づき制御部８２が切替弁を切り替えるので、切替弁を適切な向きへ自動的に切替えることができる。また、水の流れない箇所に設置されている切替弁については、バイパス水路６１ではない向きに切り替えるようにしているので水の逆流を防止することができる。
【００２８】
（第４実施形態）
図１２、図１３、図１４は、第４実施形態における電解水生成装置の構成図である。この電解水生成装置は、使用時における流量を検出する流量検出部９０と、流量検出部９０により検出された流量に基づき濾材の交換時期を判断する交換時期判断部８３と、交換時期判断部８３の判断結果に対応して交換時期を表示する交換時期表示部８４とを備えている。その他の点は第３実施形態と同様である。
【００２９】
流量検出部９０は、図１２に示すように、プレフィルタ２０の後段に１個設けてもよいし、図１３に示すように、切替弁７４の後段に１個設けてもよい。あるいは、図１４に示すように、プレフィルタ２０の後段と膜濾過カートリッジ３０の後段の２箇所に設けてもよい。以下の説明では、プレフィルタ２０の後段に設けた流量検出部９０を「流量検出部９１」、膜濾過カートリッジ３０の後段に設けた流量検出部９０を「流量検出部９２」という。交換時期判断部８３は、各濾材の交換時期を判断するための判断値をあらかじめ保持している。この交換時期判断値としては、瞬時流量（Ｌ／分）や積算水量（Ｌ）等を採用することができる。交換時期判断部８３は、保持している交換時期判断値と、流量検出部９０により検出された流量（以下、「検出値」という。）とを比較して交換時期を判断し、その判断結果を交換時期表示部８４に表示させる。
【００３０】
図１５は、瞬時流量を検出する流量検出部９０を１個設けた場合における交換時期判断手順を示すフローチャートである。流量検出部９０が１個の場合は、使用モードに対して交換時期を判断する濾材を決め、検出値と交換時期判断値との比較により交換時期を判断する。具体的には、浄水モードのときはプレフィルタ２０の交換時期を判断し、軟水モードと電解水モードのときは膜濾過カートリッジ３０の交換時期を判断する（図１６参照）。
【００３１】
まず、通水が開始されると使用モードを確認し、手洗いモードの場合は交換時期を判断しない（ステップＳ１→Ｓ２→Ｓ２１→Ｓ２２）。一方、浄水モードの場合は流量検出部９０の検出値Ｑ２とプレフィルタ２０の交換時期判断値Ｂとを比較する（ステップＳ３→Ｓ１３→Ｓ１４→Ｓ１５）。そして、検出値Ｑ２が交換時期判断値Ｂよりも大きいときは交換時期ではないと判断し（ステップＳ１５→Ｓ１９→Ｓ２０）、逆に、検出値Ｑ２が交換時期判断値Ｂよりも小さいときはプレフィルタ２０の交換時期であると判断して、その旨を交換時期表示部８４に表示させる（ステップＳ１５→Ｓ１６→Ｓ１７→Ｓ１８）。さらに、軟水モードと電解水モードの場合は流量検出部９０の検出値Ｑ１と膜濾過カートリッジ３０の交換時期判断値Ａとを比較する（ステップＳ４→Ｓ５→Ｓ６→Ｓ７）。そして、検出値Ｑ１が交換時期判断値Ａよりも大きいときは交換時期ではないと判断し（ステップＳ７→Ｓ１１→Ｓ１２）、逆に、検出値Ｑ１が交換時期判断値Ａよりも小さいときは膜濾過カートリッジ３０の交換時期であると判断して、その旨を交換時期表示部８４に表示させる（ステップＳ７→Ｓ８→Ｓ９→Ｓ１０）。
【００３２】
なお、交換時期判断値Ａ、Ｂの決め方は特に限定されるものではない。例えば、浄水モードのときに比べて軟水モードや電解水モードにしたときに流量が低下すれば、膜濾過カートリッジ３０の目詰まりが発生していると考えることができる。そこで、膜濾過カートリッジ３０の交換時期判断値Ａは、浄水モードにおける流量検出部９０の検出値Ｑ２と軟水モードや電解水モードにおける流量検出部９０の検出値Ｑ１との差分に基づいて決めてもよい。
【００３３】
図１７は、積算流量を検出する流量検出部９０を１個設けた場合における交換時期判断手順を示すフローチャートである。この場合、浄水モードではプレフィルタ２０の積算流量Ｌ２を検出することになる（ステップＳ４４）。そして、積算流量Ｌ２がプレフィルタ２０の交換時期判断値Ｂよりも小さいときは交換時期ではないと判断し（ステップＳ４５→Ｓ４９）、逆に、積算流量Ｌ２が交換時期判断値Ｂよりも大きいときはプレフィルタ２０の交換時期であると判断する（ステップＳ４５→Ｓ４６）。一方、軟水モードと電解水モードではプレフィルタ２０及び膜濾過カートリッジ３０の積算流量Ｌ１を検出することになる（ステップＳ３６）。そして、積算流量Ｌ１が膜濾過カートリッジ３０の交換時期判断値Ａよりも小さいときは交換時期ではないと判断し（ステップＳ３７→Ｓ４１）、逆に、積算流量Ｌ１が交換時期判断値Ａよりも大きいときは膜濾過カートリッジ３０の交換時期であると判断する（ステップＳ３７→Ｓ３８）。その他の点は瞬時流量を検出する場合と同様である。
【００３４】
図１８は、積算流量を検出する流量検出部９０を２個設けた場合における交換時期判断手順を示すフローチャートである。流量検出部９０が複数個の場合は、各々の流量検出部９０に対して交換時期を判断する濾材を決め、それぞれの検出値と交換時期判断値との比較により交換時期を判断する。以下、プレフィルタ２０の後段と膜濾過カートリッジ３０の後段の２箇所に流量検出部９０を設けた場合を想定して説明する（図１４参照）。
【００３５】
浄水モードの場合は、膜濾過カートリッジ３０の交換時期は判断せず、流量検出部９１の積算流量Ｌ１とプレフィルタ２０の交換時期判断値Ａとを比較する（ステップＳ６３→Ｓ７８→Ｓ７９→Ｓ８０）。そして、積算流量Ｌ１が交換時期判断値Ａよりも小さいときは交換時期ではないと判断し（ステップＳ８０→Ｓ８４）、逆に、積算流量Ｌ１が交換時期判断値Ａよりも大きいときはプレフィルタ２０の交換時期であると判断して、その旨を交換時期表示部８４に表示させる（ステップＳ８０→Ｓ８１→Ｓ８２）。
【００３６】
一方、軟水モードと電解水モードの場合は、浄水モードの場合と同様の手順でプレフィルタ２０の交換時期を判断する（ステップＳ６４→Ｓ６５→Ｓ６６→Ｓ６７）。次いで、流量検出部９２の積算流量Ｌ２と膜濾過カートリッジ３０の交換時期判断値Ｂとを比較する（ステップＳ６９→Ｓ７０）。そして、積算流量Ｌ２が交換時期判断値Ｂよりも小さいときは交換時期ではないと判断し（ステップＳ７０→Ｓ７４）、逆に、積算流量Ｌ２が交換時期判断値Ｂよりも大きいときは膜濾過カートリッジ３０の交換時期であると判断して、その旨を交換時期表示部８４に表示させる（ステップＳ７０→Ｓ７１→Ｓ７２）。
【００３７】
以上のように、第４実施形態における電解水生成装置によれば、流量に基づき濾材の交換時期を判断してその判断結果を表示するようにしているので、適切なタイミングで濾材の交換時期を自動的に使用者へ知らせることができる。
【００３８】
（第５実施形態）
図１９は、第５実施形態における電解水生成装置の構成図である。この電解水生成装置は、初期通水時において流量検出部９０により検出された流量を記憶する初期値記憶部８５を備えている。交換時期判断部８３は、初期値記憶部８５に記憶された流量と流量検出部９０により検出された流量とを比較して交換時期を判断する。その他の点は第４実施形態と同様である。
【００３９】
初期値記憶部８５は、各使用モードで初期通水時において流量検出部９０により検出された流量（以下、「初期値」という。）を記憶する。初期通水は、一定の条件で行う必要があるため、使用者が任意に操作できるバルブではなく電磁弁の開閉等により行う。交換時期判断部８３が交換時期判断値（例：流量が半分になったとき）をあらかじめ保持している点は第４実施形態と同様である。初期通水後は通常使用を行う。
【００４０】
図２０は、瞬時流量を検出する流量検出部９０を２個設けた場合における交換時期判断手順を示すフローチャートである。以下、プレフィルタ２０の後段と膜濾過カートリッジ３０の後段の２箇所に流量検出部９０を設けた場合を想定して説明する（図１９参照）。
【００４１】
浄水モードの場合において、初期値記憶部８５に初期値Ｓ１が記憶されているときは、流量検出部９１の検出値Ｑ１とプレフィルタ２０の交換時期判断値Ａとを比較する（ステップＳ９３→Ｓ１０６→Ｓ１０７→Ｓ１０８）。そして、検出値Ｑ１が交換時期判断値Ａよりも大きいときは交換時期ではないと判断し（ステップＳ１０８→Ｓ１１２）、逆に、検出値Ｑ１が交換時期判断値Ａよりも小さいときはプレフィルタ２０の交換時期であると判断して、その旨を交換時期表示部８４に表示させる（ステップＳ１０８→Ｓ１０９→Ｓ１１０）。なお、初期値記憶部８５に初期値Ｓ１が記憶されていないときは、検出値Ｑ１を初期値Ｓ１として初期値記憶部８５に記憶しておく（ステップＳ１０７→Ｓ１１４）。また、交換時期判断値Ａを例えばＡ＝Ｓ１÷２により算出して保持しておく（ステップＳ１１５）。
【００４２】
一方、軟水モードと電解水モードの場合において、初期値記憶部８５に初期値Ｓ２が記憶されているときは、流量検出部９２の検出値Ｑ２と膜濾過カートリッジ３０の交換時期判断値Ｂとを比較する（ステップＳ９３→Ｓ９４→Ｓ９５→Ｓ９６）。そして、検出値Ｑ２が交換時期判断値Ｂよりも大きいときは交換時期ではないと判断し（ステップＳ９６→Ｓ１００）、逆に、検出値Ｑ２が交換時期判断値Ｂよりも小さいときは膜濾過カートリッジ３０の交換時期であると判断して、その旨を交換時期表示部８４に表示させる（ステップＳ９６→Ｓ９７→Ｓ９８）。なお、初期値記憶部８５に初期値Ｓ２が記憶されていないときは、検出値Ｑ２を初期値Ｓ２として初期値記憶部８５に記憶しておく（ステップＳ１０２）。また、交換時期判断値Ｂを例えばＢ＝Ｓ２÷２により算出して保持しておく（ステップＳ１０３）。
【００４３】
以上のように、第５実施形態における電解水生成装置によれば、初期通水時において検出された流量に基づき濾材の交換時期を判断してその判断結果を表示するようにしているので、使用環境（水圧等）の影響も考慮して交換時期を判断することができる。
【００４４】
なお、ここでは、初期値が自動的に算出されて初期値記憶部８５に記憶されることとしているが、初期値の記憶方法はこれに限定されるものではない。例えば、初期値を設定するためのモードを設け、この初期値設定モードにおいて使用者が設定した値を初期値記憶部８５に記憶するようにしてもよい。
【００４５】
なお、以上では好適な実施形態について説明したが、本発明は前記実施形態に限定されず、種々の変形が可能である。例えば、一体型プレフィルタを例示したが、プレフィルタを複数設けた場合は、それに応じて切替弁やバイパス水路６１を複数設けることもできる。
【符号の説明】
【００４６】
４０  電解槽
６１  バイパス水路
７１、７２、７３、７４  切替弁
７５  逆流防止弁
８１  選択部
８２  制御部
８３  交換時期判断部
８４  交換時期表示部
８５  初期値記憶部
９０、９１、９２  流量検出部
【図１】
2012101173.tif 000003
【図２】
2012101173.tif 000004
【図３】
2012101173.tif 000005
【図４】
2012101173.tif 000006
【図５】
2012101173.tif 000007
【図６】
2012101173.tif 000008
【図７】
2012101173.tif 000009
【図８】
2012101173.tif 000010
【図９】
2012101173.tif 000011
【図１０】
2012101173.tif 000012
【図１１】
2012101173.tif 000013
【図１２】
2012101173.tif 000014
【図１３】
2012101173.tif 000015
【図１４】
2012101173.tif 000016
【図１５】
2012101173.tif 000017
【図１６】
2012101173.tif 000018
【図１７】
2012101173.tif 000019
【図１８】
2012101173.tif 000020
【図１９】
2012101173.tif 000021
【図２０】
2012101173.tif 000022